(57)【要約】【課題】液晶シャッターメガネおよび、立体画像表示装置において、人が液晶シャッターメガネを掛けているかどうかで、液晶シャッターメガネおよび、立体画像表示装置の状態を自動的に制御することが不可能であった。【解決手段】立体画像表示装置は、立体映像を視聴するときの右眼用映像と左目用映像のシャッター同期を制御する第１の制御信号を生成する信号生成部と、第１の制御信号を送信する第１の制御信号送信部とを備え、液晶シャッターメガネは、立体画像表示装置から第１の制御信号を受信する第２の制御信号受信部と、鼻あて部および、耳あて部に備えた温度センサと、温度センサの検出結果により立体画像表示装置の立体画像表示を制御するに第２の制御信号を送信する第２の制御信号送信部と、を備えることにより、液晶シャッターメガネおよび、立体画像表示装置の状態を液晶シャッターメガネで自動的に制御する。【選択図】図１
2011118133.tif 000002
【特許請求の範囲】
【請求項１】
液晶シャッターメガネと立体画像表示装置を備えた立体画像表示システムであって、
前記立体画像表示装置は、
前記液晶シャッターメガネから制御信号を受信する第１の制御信号受信部と、
立体映像を視聴するときの右眼用映像と左目用映像のシャッター同期を制御する第１の制御信号を生成する信号生成部と、
前記第１の制御信号を送信する第１の制御信号送信部とを備え、
前記液晶シャッターメガネは、
前記立体画像表示装置から第１の制御信号を受信する第２の制御信号受信部と、
前記第１の制御信号に基づいて右眼と左眼のシャッターを切替える液晶シャッターと、
鼻あて部および、耳あて部に備えた温度センサと、
前記温度センサの検出結果により前記立体画像表示装置の立体画像表示を制御するに第２の制御信号を送信する第２の制御信号送信部と、
を備える立体画像表示システム。
【発明の詳細な説明】
【技術分野】
【０００１】
本発明は時分割液晶シャッターメガネ方式の液晶シャッターメガネおよび、立体画像表示装置を用いた立体画像表示システムに関するものである。
【背景技術】
【０００２】
従来の時分割液晶シャッターメガネ方式の液晶シャッターメガネおよび、立体画像表示装置を用いた立体画像表示システムは、図４に示す構成で知られている（特許文献１参照）。図４は従来の液晶シャッターメガネおよび、立体画像表示装置の構成図、図５は従来の液晶シャッターメガネおよび、立体画像表示装置の原理図である。また、同様の立体画像表示システムは医療用途にも応用されている（特許文献２参照）。
【０００３】
図５に示すように、テレビなどの立体画像表示装置２００は、表示する画像を左眼用画像５０１、右眼用画像５０２、左眼用画像５０１、右眼用画像５０２…の順番で高速に切り替える。それと同時に立体画像表示装置２００は液晶シャッターメガネ１００へシャッター同期・制御信号３２０を制御信号送信部２１０から赤外線などで送出する。シャッター同期・制御信号３２０は立体画像表示装置２００の遠隔操作信号のうちの一つで、シャッター切り替えであることを識別する符号とそのときの画像が左眼用画像であるか右眼用画像であるかを区別する符号からなるコード信号である。
【０００４】
また、立体映像表示装置２００は制御信号受信部２２０も搭載しており、リモコンなどの遠隔制御信号送信部装置４４０から送出される赤外線などの制御信号（コード信号）３１１を受信する。立体画像表示装置２００が３Ｄ画像、２Ｄ画像を両方表示することができる場合、３Ｄ画像／２Ｄ画像の切り替えおよび、シャッター同期・制御信号３２０の送出／停止を行なわなくてはならないが、これは遠隔制御信号送信装置４４０から立体画像表示装置２００の３Ｄ画像／２Ｄ画像の切り替えおよび、シャッター同期・制御信号の送出／停止を制御する信号を送出することで実現している。
【０００５】
シャッター同期・制御信号３２０を受信する液晶シャッターメガネ４００は通常のメガネと同様なメガネとして構成され、左右の眼に対応した液晶シャッター１１０Ｌ、１１０Ｒ、制御信号受信部１２０が搭載されている。液晶シャッターメガネ４００は制御信号受信部１２０でシャッター同期・制御信号３２０を受信し、それに従って、左右の液晶シャッター１１０Ｌ、１１０Ｒのオン／オフを切り替える。
【０００６】
以上の構成により、従来の時分割液晶シャッターメガネ方式の液晶シャッターメガネ４００および、立体画像表示装置２００では、人が液晶シャッターメガネ４００を掛けて、立体画像表示装置２００の画像を見たとき、立体画像５０３を見ることができる。
【０００７】
図４から明らかなとおり、液晶シャッターメガネ４００の制御信号受信部１２０は小型でなければならず、したがって、電源としてはボタン電池などの小型バッテリーを使うことになる。また、液晶シャッターメガネ４００を掛けていない状態で、立体画像表示装置２００の画像を見ると、画像がぼやけて見える。したがって、３Ｄ画像、２Ｄ画像を両方表示することができる立体画像表示装置２００の場合、液晶シャッターメガネ４００を掛けているときは、「立体画像表示装置２００の画像を３Ｄ画像にし、シャッター同期・制御信号を送出する」、メガネを外しているときは、「立体画像表示装置２００の画像を２Ｄ画像にし、シャッター同期・制御信号を停止する」と切り替えを行なう必要がある。
【先行技術文献】
【特許文献】
【０００８】
【特許文献１】特開平０８  −２６５８６３号公報
【特許文献２】特開２００１−０５１１１３号公報
【発明の概要】
【発明が解決しようとする課題】
【０００９】
しかしながら、前記従来の構成では、たとえ人が液晶シャッターメガネを掛けていないときでも、立体画像表示装置２００からシャッター同期・制御信号が送出されていれば、それを液晶シャッターメガネ４００が受信し、左右の液晶シャッターを駆動させ、液晶シャッターメガネ内の小型バッテリーを無駄に消費させてしまい、液晶シャッターメガネ４００を利用時間が短くなるという課題があった。また、前記従来の構成において、立体画像表示装置２００が３Ｄ画像、２Ｄ画像を両方表示することができる場合、リモコンなどの遠隔制御信号送信装置４４０がなくては立体画像表示装置２００の３Ｄ画像／２Ｄ画像の切り替えができず、人が液晶シャッターメガネ４００を掛けている／外していることと独立して、３Ｄ画像／２Ｄ画像の切り替えを行なわなくてはならないので、操作上煩わしいという課題があった。
【００１０】
本発明は前記従来の課題を解決するもので、人が液晶シャッターメガネを掛けている状態、掛けていない状態を判断し、立体画像表示装置の３Ｄ画像／２Ｄ画像の切り替えと、液晶シャッターの駆動を制御する液晶シャッターメガネを提供することを目的とする。
【課題を解決するための手段】
【００１１】
前記従来の課題を解決するために、本発明の立体画像表示システムは、液晶シャッターメガネと立体画像表示装置を備えた立体画像表示システムであって、立体画像表示装置は、液晶シャッターメガネから制御信号を受信する第１の制御信号受信部と、立体映像を視聴するときの右眼用映像と左目用映像のシャッター同期を制御する第１の制御信号を生成する信号生成部と、第１の制御信号を送信する第１の制御信号送信部とを備え、液晶シャッターメガネは、立体画像表示装置から第１の制御信号を受信する第２の制御信号受信部と、第１の制御信号に基づいて右眼と左眼のシャッターを切替える液晶シャッターと、鼻あて部および、耳あて部に備えた温度センサと、温度センサの検出結果により立体画像表示装置の立体画像表示を制御するに第２の制御信号を送信する第２の制御信号送信部と、を備える。
【００１２】
本構成によって、人が液晶シャッターメガネを掛けたときおよび、掛けているときに立体画像表示装置はシャッター同期・制御信号を送出（立体画像表示装置が３Ｄ画像、２Ｄ画像を両方表示することができる場合は、上記に加えて、３Ｄ画像表示オン）し、液晶シャッターメガネの液晶シャッターは駆動する。逆に人が液晶シャッターメガネを外したときおよび、外しているときに立体画像表示装置はシャッター同期・制御信号の送出をやめ（立体画像表示装置が３Ｄ画像、２Ｄ画像を両方表示することができる場合は、上記に加えて、２Ｄ画像表示オン）、液晶シャッターメガネの液晶シャッターは停止する。
【発明の効果】
【００１３】
以上のように、本発明の液晶シャッターメガネによれば、人が液晶シャッターメガネを掛けたときおよび、掛けているときのみ、立体画像表示装置からシャッター同期・制御信号が送出されて、液晶シャッターメガネの液晶シャッターが駆動するので、液晶シャッターメガネ内の小型バッテリーの電力消費を小さくすることができるという効果がある。
【００１４】
また、立体画像表示装置が３Ｄ画像、２Ｄ画像を両方表示することができる場合は、リモコンなどの遠隔制御信号送信部を使うことなく、本発明の液晶シャッターメガネを掛ける／外すだけで、立体画像表示装置の３Ｄ画像／２Ｄ画像の切り替えが可能となり、操作性が上がるという効果がある。
【図面の簡単な説明】
【００１５】
【図１】本発明の実施例１における液晶シャッターメガネおよび、立体画像表示装置の構成図
【図２】本発明の実施例１における液晶シャッターメガネおよび、立体画像表示装置のブロック図
【図３】本発明の実施例１における液晶シャッターメガネ内のＡＮＤ回路の出力波形とそれに対する液晶シャッターメガネの状態、動作を示す図
【図４】従来の液晶シャッターメガネおよび、立体画像表示装置の構成図
【図５】従来の液晶シャッターメガネおよび、立体画像表示装置の原理図
【発明を実施するための形態】
【００１６】
以下本発明を実施するための形態について、図面を参照しながら説明する。
【実施例１】
【００１７】
図１は、本発明の実施例１における液晶シャッターメガネおよび、立体画像表示装置の構成図である。図１において、図４と同じ構成要素については同じ符号を用い、説明を省略する。図２は、本発明の実施例１における液晶シャッターメガネおよび、立体画像表示装置のブロック図である。図３は、本発明実施例１における液晶シャッターメガネ内のＡＮＤ回路の出力波形とそれに対する液晶シャッターメガネの状態、動作を示す。
【００１８】
まず、本発明の構成を説明する。
【００１９】
図１に示すように、本発明の液晶シャッターメガネ１００は左右のパッド（鼻あて部）および、左右のモダン（耳あて部）の４箇所に温度センサ１３０Ｌ、１３０Ｒ、１３０ｌ、１３０ｒを搭載しており、これらで体温を検知し、人が液晶シャッターメガネ１００を掛けているか判断する。また、本発明の液晶シャッターメガネ１００は制御信号送信部１４０を搭載しており、制御信号送信部１４０から要望するシャッター同期・制御信号３２０を送信するように立体画像表示装置２００を制御するための制御信号３１０や、立体画像表示装置２００が３Ｄ画像、２Ｄ画像を両方表示することができる場合は、３Ｄ画像／２Ｄ画像の切り替えを制御するための制御信号３１０を赤外線などで送出する。
【００２０】
次に、本発明の液晶シャッターメガネ１００の動作を説明する。
【００２１】
図２に示すように、本発明の液晶シャッターメガネ１００は、制御信号受信部１２０、デコーダ１２１、シャッター駆動回路１１１には小型バッテリーなどの電源ＶＤＤ１５１から電力が供給されているが、これらはＡＮＤ回路１５３の出力で制御されるスイッチ１５２によってオン／オフされ、常時電源オンの場合に比べ、電力の消費を小さくしている。また、信号生成ＩＣ１４１はＡＮＤ回路１５３の出力の立ち上がり／立ち下がりを検出し、立体画像表示装置２００に対してシャッター同期・制御信号３２０の送出／停止、および、３Ｄ画像／２Ｄ画像を切り替える制御信号（立体画像表示装置２００が３Ｄ画像、２Ｄ画像を両方表示することができる場合）を生成し、信号送信部１４０でその制御信号を波形整形、送出し、立体画像表示装置２００の制御を行なっている。
【００２２】
ＡＮＤ回路１５３は、「人がメガネを掛けているとき」は、左右のパッド（鼻あて部）および、左右のモダン（耳あて部）の４箇所に搭載された温度センサ１３０Ｌ、１３０Ｒ、１３０ｌ、１３０ｒが全て「Ｈｉｇｈ」であるので「Ｈｉｇｈ波形３３０」を出力し、「人がメガネを外しているとき」は、４箇所の温度センサ１３０Ｌ、１３０Ｒ、１３０ｌ、１３０ｒの１箇所以上が「Ｌｏｗ」であるので、「Ｌｏｗ波形３３１」を出力することになる。
【００２３】
また、ＡＮＤ回路１５３は、「人がメガネを掛けたとき」は「立ち上がり波形３３２」を出力し、「人がメガネを外したとき」は、「立ち下がり波形３３３」を出力することとなる。
【００２４】
そして、ＡＮＤ回路１５３が「Ｈｉｇｈ波形３３０を出力している（人がメガネを掛けている）」と、スイッチ１５２がオンし、制御信号受信部１２０、デコーダ１２１、シャッター駆動回路１１１に電源ＶＤＤ１５１から電力が供給される。スイッチ１５２がオンした状態で立体画像表示装置２００から赤外線などのシャッター同期・制御信号３２０が送出された場合、シャッター同期・制御信号３２０は制御信号受信部１２０で受信、波形整形され、コード信号としてデコーダ１２１に供給される。デコーダ１２１は受信した信号を復号化して、シャッター駆動回路１１１に送る。シャッター駆動回路１１１はデコーダ１２１から供給される制御信号に従って、液晶シャッター１１０の左眼と右眼のシャッター動作を行なう。
【００２５】
逆に、ＡＮＤ回路１５３が「Ｌｏｗ波形３３１を出力している（人がメガネを外している）」と、スイッチ１５２がオフし、制御信号受信部１２０、デコーダ１２１、シャッター駆動回路１１１に電源ＶＤＤ１５１から電力が供給されず、たとえ、立体画像表示装置２００からシャッター同期・制御信号３２０が送出されたとしても、液晶シャッター１１０は動作しない。
【００２６】
また、ＡＮＤ回路１５３が「立ち上がり波形３３２を出力している（人がメガネを掛けた）」とき、信号生成ＩＣ１４１が立ち上がりを検出し、立体画像表示装置２００に、立体画像表示装置２００が３Ｄ画像表示をオンにし、シャッター同期・制御信号３２０の送出を開始するように制御するコード信号を生成し、制御信号送信部１４０に送る。そして、制御信号送信部１４０は信号生成ＩＣ１４１から供給されたコード信号３１０を波形整形し、立体画像表示装置２００へ送出する。
【００２７】
立体画像表示装置２００は信号送信部１４０から供給された赤外線などの制御信号３１０に従って、３Ｄ画像表示をオンにし、シャッター同期・制御信号３２０を送出する。
【００２８】
逆に、ＡＮＤ回路１５３が「立ち下がり波形３３３を出力している（人がメガネを外した）」とき、信号生成ＩＣ１４１が立ち下がりを検出し、立体画像表示装置２００に立体画像表示装置２００が２Ｄ画像表示をオンにし、シャッター同期・制御信号３２０の送出を停止するように制御するコード信号を生成し、制御信号送信部１４０に送る。そして、制御信号送信部１４０は信号生成ＩＣ１４１から供給されたコード信号３１０を波形整形し、立体画像表示装置２００へ送出する。立体画像表示装置２００は信号送信部１２１から供給された赤外線などの制御信号３１０に従って、２Ｄ画像表示をオンにし、シャッター同期・制御信号３２０の送出を停止する。
【００２９】
かかる構成によれば、液晶シャッターメガネ１００の左右のパッド（鼻あて部）および、左右のモダン（耳あて部）に温度センサ１３０Ｌ、１３０Ｒ、１３０ｌ、１３０ｒを内蔵し、これら４個の温度センサの出力をＡＮＤ回路１５３の入力にすることにより、メガネの４状態（掛けている、外している、掛けた、外した）を検知することが可能となる。さらに、液晶シャッターメガネ１００に制御信号送信部１２０と、スイッチ１５２を搭載し、これら２つをＡＮＤ回路１５３の出力で制御することにより、メガネの状態で液晶シャッターメガネ１００および、立体画像表示装置２００を自動的に制御することが可能となり、液晶シャッターメガネ１００の電力消費を少なくし、立体画像表示装置２００の操作性を上げることができる。
【産業上の利用可能性】
【００３０】
本発明の液晶シャッターメガネおよび、立体画像表示装置は、液晶シャッターメガネの電力消費を少なくすることが可能なので、液晶シャッターメガネの小型化や機能性の向上に伴った、メガネ内の小型バッテリーの更なる小型化や電力消費量の増大化に対して有用である。
【００３１】
また、本発明の液晶シャッターメガネおよび、立体画像表示装置は、立体画像表示装置が３Ｄ画像、２Ｄ画像を両方表示することができる場合、液晶シャッターメガネを掛ける／外すだけで、立体画像表示装置の３Ｄ画像／２Ｄ画像の切り替えが可能なので、リモコンなどの複雑な操作が苦手なお年寄りや小さい子供が使用するとき有用である。
【符号の説明】
【００３２】
１００    液晶シャッターメガネ
１１０    液晶シャッター
１１０Ｌ    液晶シャッター（左眼）
１１０Ｒ    液晶シャッター（右眼）
１１１    シャッター駆動回路
１２０    制御信号受信部
１２１    デコーダ
１３０Ｌ    温度センサ（左パッド）
１３０Ｒ    温度センサ（右パッド）
１３０ｌ    温度センサ（左モダン）
１３０ｒ    温度センサ（右モダン）
１４０    制御信号送信部
１４１    信号生成ＩＣ（ＦＰＧＡなど）
１５１    ＶＤＤ電源
１５２    スイッチ
１５３    ＡＮＤ回路
２００    立体画像表示装置
２１０    制御信号送信部
２２０    制御信号受信部
３１０    液晶シャッターメガネから送出される制御信号（コード信号）
３１１    遠隔制御信号送信部から送信される制御信号（コード信号）
３２０    シャッター同期・制御信号
３３０    ＡＮＤ回路のＨｉｇｈ波形（メガネを掛けているとき）
３３１    ＡＮＤ回路のＬｏｗ波形（メガネを外しているとき）
３３２    ＡＮＤ回路の立ち上がり波形（メガネを掛けたとき）
３３３    ＡＮＤ回路の立ち下がり波形（メガネを外したとき）
４００    従来の液晶シャッターメガネ
４４０    遠隔制御信号送信装置
５０１    左眼用画像
５０２    右眼用画像
５０３    立体画像
【図１】
2011118133.tif 000003
【図２】
2011118133.tif 000004
【図３】
2011118133.tif 000005
【図４】
2011118133.tif 000006
【図５】
2011118133.tif 000007